(57)【要約】【課題】錠の開錠を指示した者が錠の傍らにいる場合にのみ錠の開錠を行う。【解決手段】携帯電話機１００が遠隔制御装置６００を着呼先として発呼を行うと、遠隔制御装置６００は、動作指示を制御装置３００へ送信する。制御装置３００は、受信した動作指示に応じて動作を行う。携帯電話機１００の使用者が、この動作を示すデータを入力すると、このデータが遠隔制御装置６００へ送信される。遠隔制御装置６００は、受信したデータが示す動作と、動作指示が示す動作とが同じであるか否か判断し、同じである場合には錠の開錠指示を制御装置３００へ送信する。制御装置３００は、この開錠指示を受信すると車両２００のドアの錠の開錠を行う。【選択図】        図１
2005054373.tif 000002
【特許請求の範囲】
【請求項１】
対象装置の動作を制御する制御装置と、前記制御装置と通信可能な遠隔制御装置と、入力された情報を前記遠隔制御装置へ送信する通信端末と、を有する遠隔制御システムにおいて、
前記制御装置は、
受信した開錠指示に応じて前記対象装置が有する錠を開錠する開錠手段と、
受信した動作指示の内容に基づいて前記対象装置にある動作を行わせる動作手段とを有し、
前記遠隔制御装置は、
前記通信端末を一意に識別する識別子を記憶する記憶手段と、
前記識別子を受信する識別子受信手段と、
前記識別子受信手段が受信した前記識別子を前記記憶手段が記憶している場合、前記対象装置にある動作を行わせる動作指示を前記制御装置へ送信する動作指示送信手段と、
前記通信端末が送信した前記情報を受信する情報受信手段と、
前記情報受信手段が受信した前記情報により特定される動作が、前記動作指示送信手段が送信した動作指示が示す動作と同じである場合には、前記開錠指示を前記制御装置へ送信する開錠指示送信手段と
を有することを特徴とする遠隔制御システム。
【請求項２】
前記通信端末と前記遠隔制御装置は公衆網を介して通信を行い、
前記識別子受信手段は、前記通信端末が前記遠隔制御装置を着呼先として通信を行う際に前記公衆網が送信する前記識別子を受信することを特徴とする請求項１に記載の遠隔制御システム。
【請求項３】
前記制御装置は、
前記遠隔制御装置を一意に識別する装置識別子を記憶する装置識別子記憶手段と、
前記装置識別子を受信する装置識別子受信手段とを有し、
前記開錠手段は、
前記装置識別子受信手段が受信した装置識別子と同じ装置識別子を前記装置識別子記憶手段が記憶している場合、受信した開錠指示に応じて錠を開錠すること
を特徴とする請求項２に記載の遠隔制御システム。
【請求項４】
対象装置の動作を制御する制御装置と、入力された情報を前記制御装置へ送信する通信端末と、を有する遠隔制御システムにおいて、
前記制御装置は、
前記通信端末を一意に識別する識別子を記憶する記憶手段と、
前記識別子を受信する識別子受信手段と、
前記識別子受信手段が受信した前記識別子を前記記憶手段が記憶している場合、前記対象装置にある動作を行わせる動作指示手段と、
前記通信端末が送信した前記情報を受信する情報受信手段と、
前記情報受信手段が受信した前記情報により特定される動作と、前記動作指示手段が前記対象装置に行わせた動作とが同じである場合には、前記対象装置が有する錠を開錠する開錠手段と
を有することを特徴とする遠隔制御システム。
【請求項５】
対象装置の動作を制御する制御装置と、通信端末との通信が可能な遠隔制御装置において、
前記通信端末を一意に識別する識別子を記憶する記憶手段と、
前記識別子を受信する識別子受信手段と、
前記識別子受信手段が受信した前記識別子を前記記憶手段が記憶している場合、前記対象装置に行わせる動作を任意に選択し、選択した動作を行うことを指示する動作指示を前記制御装置へ送信する動作指示送信手段と、
前記通信端末が送信した情報を受信する情報受信手段と、
前記情報受信手段が受信した前記情報により特定される動作が、前記動作指示送信手段が送信した動作指示が示す動作と同じである場合には、前記対象装置が有する錠の開錠を指示する開錠指示を前記制御装置へ送信する開錠指示送信手段と
を有することを特徴とする遠隔制御装置。
【請求項６】
対象装置の動作を制御し、通信端末との通信が可能な制御装置において、
前記通信端末を一意に識別する識別子を記憶する記憶手段と、
前記識別子を受信する識別子受信手段と、
前記識別子受信手段が受信した前記識別子を前記記憶手段が記憶している場合、前記対象装置に行わせる動作を任意に選択し、選択した動作を前記対象装置に行わせる動作指示手段と、
前記通信端末が送信した情報を受信する情報受信手段と、
前記情報受信手段が受信した前記情報により特定される動作と、前記動作指示手段が前記対象装置に行わせた動作とが同じである場合には、前記対象装置が有する錠を開錠する開錠手段と
を有することを特徴とする制御装置。
【発明の詳細な説明】
【０００１】
【発明の属する技術分野】
本発明は、遠隔制御により錠の制御を行う技術に関する。
【０００２】
【従来の技術】
従来、家屋や車両においては、ドアの施錠のためにシリンダー錠が多く用いられてきた。しかしながら、近年、このタイプの錠はピッキングにより、比較的容易に開けられることが知られ、空き巣や車両盗難などの被害が多発している。このような、ピッキングによる空き巣や盗難の被害を防ぐために、シリンダー錠に代わる、鍵穴を有さない錠を具備したセキュリティシステムが考案されている（例えば、特許文献１参照）。
【０００３】
特許文献１に記載されている技術では、錠を開錠しようとする者は、自身が所有している携帯電話機を用いて、錠の制御を行うセンター装置へ電話をかける。携帯電話機が発呼すると、発信者番号通知サービスにより、発呼を行った携帯電話機の所有者に付与された電話番号が、センター装置へ通知される。センター装置は、予め記憶している電話番号と、発信者番号通知サービスにより通知される電話番号とを比較し、通知された電話番号を記憶している場合には、錠の開錠を行う。この技術によれば、シリンダー錠などのように鍵穴をドアに設けることがないため、ピッキングを行うことが困難となり、防犯効果を高めることが可能となる。
【０００４】
【特許文献１】
特開平１１−１２０３９８号公報
【０００５】
【発明が解決しようとする課題】
ところで、特許文献１に記載されているセキュリティシステムは、携帯電話機からの着信があると、錠の開錠を要求する者が錠のある場所にいなくとも、錠の開錠を行うことが可能となっている。しかしながら、錠を正当に開錠することができる者が錠の近隣にいない場合に錠を開錠してしまうと、再び施錠されるまでの間や錠を正当に開錠できる者が錠の場所に到着するまでの間、第三者が自由に家屋や車両に進入する虞がある。このため、遠隔操作により錠の開錠を行うシステムにおいては、このように第三者が自由に家屋や車両に進入できないようにするために、錠を正当に開錠することができる者が錠の近隣にいることが確認できた場合に錠の開錠を行う技術が要望されていた。
【０００６】
本発明は、上述した事情に鑑みてなされたものであり、錠の開錠を指示した者が錠の傍らにいる場合にのみ錠の開錠を行う技術を提供することを目的とする。
【０００７】
【課題を解決するための手段】
上述した課題を解決するために本発明は、対象装置の動作を制御する制御装置と、前記制御装置と通信可能な遠隔制御装置と、入力された情報を前記遠隔制御装置へ送信する通信端末と、を有する遠隔制御システムにおいて、前記制御装置は、受信した開錠指示に応じて前記対象装置が有する錠を開錠する開錠手段と、受信した動作指示の内容に基づいて前記対象装置にある動作を行わせる動作手段とを有し、前記遠隔制御装置は、前記通信端末を一意に識別する識別子を記憶する記憶手段と、前記識別子を受信する識別子受信手段と、前記識別子受信手段が受信した前記識別子を前記記憶手段が記憶している場合、前記対象装置にある動作を行わせる動作指示を前記制御装置へ送信する動作指示送信手段と、前記通信端末が送信した前記情報を受信する情報受信手段と、前記情報受信手段が受信した前記情報により特定される動作が、前記動作指示送信手段が送信した動作指示が示す動作と同じである場合には、前記開錠指示を前記制御装置へ送信する開錠指示送信手段とを有することを特徴とする遠隔制御システムを提供する。
【０００８】
また本発明は、対象装置の動作を制御する制御装置と、通信端末との通信が可能な遠隔制御装置において、前記通信端末を一意に識別する識別子を記憶する記憶手段と、前記識別子を受信する識別子受信手段と、前記識別子受信手段が受信した前記識別子を前記記憶手段が記憶している場合、前記対象装置に行わせる動作を任意に選択し、選択した動作を行うことを指示する動作指示を前記制御装置へ送信する動作指示送信手段と、前記通信端末が送信した情報を受信する情報受信手段と、前記情報受信手段が受信した前記情報により特定される動作が、前記動作指示送信手段が送信した動作指示が示す動作と同じである場合には、前記対象装置が有する錠の開錠を指示する開錠指示を前記制御装置へ送信する開錠指示送信手段とを有することを特徴とする遠隔制御装置を提供する。
【０００９】
本発明によれば、遠隔制御装置は、通信端末を一意に識別する識別子を受信すると、受信した識別子と同じ識別子を記憶している場合、動作指示を制御装置へ送信する。制御装置は、動作指示を受信すると該動作指示に応じて対象装置に動作を行わせる。通信端末の使用者により、対象装置が行った動作を特定する情報が通信端末に入力されると、通信端末はこの情報を遠隔制御装置へ送信する。
遠隔制御装置は、この情報を受信すると、この情報により特定される動作と、動作指示が指示する動作とが同じであるか否か判断し、同じであると判断した場合、開錠指示を制御装置へ送信する。制御装置は、開錠指示を受信すると、錠を開錠する。
【００１０】
また本発明は、対象装置の動作を制御する制御装置と、入力された情報を前記制御装置へ送信する通信端末と、を有する遠隔制御システムにおいて、前記制御装置は、前記通信端末を一意に識別する識別子を記憶する記憶手段と、前記識別子を受信する識別子受信手段と、前記識別子受信手段が受信した前記識別子を前記記憶手段が記憶している場合、前記対象装置にある動作を行わせる動作指示手段と、前記通信端末が送信した前記情報を受信する情報受信手段と、前記情報受信手段が受信した前記情報により特定される動作と、前記動作指示手段が前記対象装置に行わせた動作とが同じである場合には、前記対象装置が有する錠を開錠する開錠手段とを有することを特徴とする遠隔制御システムを提供する。
【００１１】
また本発明は、対象装置の動作を制御し、通信端末との通信が可能な制御装置において、前記通信端末を一意に識別する識別子を記憶する記憶手段と、前記識別子を受信する識別子受信手段と、前記識別子受信手段が受信した前記識別子を前記記憶手段が記憶している場合、前記対象装置に行わせる動作を任意に選択し、選択した動作を前記対象装置に行わせる動作指示手段と、前記通信端末が送信した情報を受信する情報受信手段と、前記情報受信手段が受信した前記情報により特定される動作と、前記動作指示手段が前記対象装置に行わせた動作とが同じである場合には、前記対象装置が有する錠を開錠する開錠手段とを有することを特徴とする制御装置を提供する。
【００１２】
本発明によれば、制御装置は、通信端末を一意に識別する識別子を受信と、受信した識別子と同じ識別子を記憶している場合、対象装置に動作を行わせる。通信端末の使用者により、対象装置が行った動作を特定する情報が通信端末に入力されると、通信端末はこの情報を制御装置へ送信する。制御装置は、この情報を受信すると、この情報により特定される動作と、対象装置に行わせた動作とが同じであるか否か判断し、同じであると判断した場合、錠を開錠する。
【００１３】
【発明の実施の形態】
以下、図面を参照して本発明に係る実施形態について説明する。
【００１４】
［１．実施形態の構成］
［１−１．全体構成］
図１は、本発明の実施形態に係わる遠隔制御システムの全体構成を例示する図である。この遠隔制御システムには、多数の携帯電話機、車両、制御装置が存在するが、図面が繁雑になるのを防ぐために、一つの携帯電話機１００、車両２００および制御装置３００のみを図１に示す。
【００１５】
移動体通信網４００は、例えばＰＤＣ（Ｐｅｒｓｏｎａｌ  Ｄｉｇｉｔａｌ  Ｃｅｌｌｕｌａｒ）と呼ばれる無線通信方式に準拠した通信網である。移動体通信網４００は、携帯電話機１００や制御装置３００と無線通信を行う無線基地局と、無線基地局に接続された交換機と、交換機および固定電話網５００に接続された関門交換機とを具備しており（いずれも図示略）、当該通信網を運用する通信事業者との間で加入契約を結んだ加入契約者に対して音声通話サービスや、発信元の電話番号を着信先に通知する発信者番号通知サービスと呼ばれるサービスを提供する。また、移動体通信網４００は、固定電話網５００に接続されている電話機と、携帯電話機１００や制御装置３００との間で行われる通信を中継する。
【００１６】
固定電話網５００は、当該通信網が有する交換機に通信線で接続されている電話機や遠隔制御装置６００に対して、移動体通信網４００と同様に音声通話サービスや発信者番号通知サービスを提供する通信網である。固定電話網５００は、当該電話網に接続されている装置と、移動体通信網４００が提供する通信サービスを受けることが可能な携帯電話機１００や制御装置３００との間で行われる通信を中継する。
【００１７】
携帯電話機１００は、ＰＤＣに準拠した携帯電話機であり、移動体通信網４００を介して、他の携帯電話機や固定電話網５００に接続された電話機や遠隔制御装置６００と通信を行うことが可能となっている。
車両２００は、制御装置３００の制御対象となる対象装置である。以下の説明において対象装置とは、制御装置３００に制御される被制御部を有する装置を指す。対象装置である車両２００では、例えば、車両２００が具備するワイパー、ドアミラー、ヘッドライト、ドアの錠等が被制御部となっている。これらの被制御部は、制御装置３００により制御され動作する。
制御装置３００は、ＰＤＣに準拠した通信を行うことが可能であり、移動体通信網４００と固定電話網５００とを介して、遠隔制御装置６００と通信を行うことが可能となっている。制御装置３００は、遠隔制御装置６００から送信されるメッセージに応じて、車両２００の各部（ワイパー、ドアミラー、ヘッドライト等）を動作させたり、車両２００のドアに設置された錠の開錠を行うなど、車両２００の被制御部の制御を行う機能を備えている。
遠隔制御装置６００は、車両２００のドアに設置された錠の開錠を制御装置３００に対して指示するものである。遠隔制御装置６００は、固定電話網５００に接続されており、固定電話網５００と移動体通信網４００とが確立した回線を用いて、携帯電話機１００や制御装置３００と通信を行うことが可能となっている。
【００１８】
［１−２．携帯電話機の構成］
携帯電話機１００は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびデータを永続的に記憶するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの不揮発性メモリを具備している。不揮発性メモリは、車両２００のドアの開錠を指示するための開錠プログラムを記憶している。携帯電話機１００が開錠プログラムを起動すると、車両２００のドアの開錠を指示する機能が携帯電話機１００において実現する。携帯電話機１００は、開錠プログラムを起動すると、開錠プログラムが予めデータとして有している、遠隔制御装置６００に付与されている電話番号を着呼先として指定し発呼を行う。また、開錠プログラムを起動した携帯電話機１００は、携帯電話機１００の使用者が、携帯電話機が有するキーを操作して入力した、車両２００が行った動作を示すデータを含む開錠要求メッセージを遠隔制御装置６００に送信する。
【００１９】
［１−３．遠隔制御装置の構成］
図２は、遠隔制御装置６００のハードウェア構成を例示するブロック図である。図２に示したように、遠隔制御装置６００の各部は、バス６０１に接続されており、このバス６０１を介して各部間でデータの授受を行う。
【００２０】
通信部６０６は、図示を省略した通信線で固定電話網５００に接続されている。通信部６０６は、通信インターフェースとしての機能を有しており、ＣＰＵ６０２の制御の下、固定電話網５００が確立した回線を介して通信を行う。通信部６０６は、受信したデータをＣＰＵ６０２へ供給する一方、バスを介して供給されるデータを固定電話網５００へ出力する。
【００２１】
操作部６０７は、図示を省略したキーボードおよびマウスを有しており、これらが遠隔制御装置６００の使用者により操作されると、操作されたボタンやキーを示す信号をＣＰＵ６０２へ出力する。表示部６０８は、ＣＰＵ６０２の制御の下、文字やグラフィック画面、当該装置の使用者が遠隔制御装置６００を操作するためのメニュー画面等を表示する。
【００２２】
記憶部６０５は、例えばハードディスク装置など、データを永続的に記憶する装置（図示略）を有しており、遠隔制御装置６００の各部を制御するためのＯＳ（Ｏｐｅｒａｔｉｎｇ  Ｓｙｓｔｅｍ）ソフトウェアや、制御装置３００を遠隔制御するための遠隔制御プログラム、電話番号テーブルＴＢ１などを記憶している。
【００２３】
図３は、電話番号テーブルＴＢ１のフォーマットを例示する図である。携帯電話番号フィールドには、携帯電話機１００の所有者に付与された電話番号が格納され、制御装置番号フィールドには、制御装置３００の所有者に付与された電話番号が格納される。図３に例示した電話番号テーブルＴＢ１では、電話番号「０＊０−ＡＡＡＡ−ＡＡＡＡ」を付与されている携帯電話機１００の所有者は、電話番号「０＊０−ＤＤＤＤ−ＤＤＤＤ」が付与されている制御装置３００に対して車両２００のドアの開錠を要求することが可能であることが示されている。
【００２４】
ＲＯＭ（Ｒｅａｄ  Ｏｎｌｙ  Ｍｅｍｏｒｙ）６０３には、ＩＰＬ（Ｉｎｉｔｉａｌ  Ｐｒｏｇｒａｍ  Ｌｏａｄｅｒ）と呼ばれるプログラムが記憶されている。ＣＰＵ６０２は、図示を省略した電源から電力が供給されると、ＲＯＭ６０３からＩＰＬを読み出して実行する。ＣＰＵ６０２は、ＩＰＬを実行すると、記憶部６０５からＯＳソフトウェアを読み出して起動する。ＣＰＵ６０２は、ＯＳソフトウェアを起動すると、操作部６０７から供給される信号や、通信部６０６から供給されるデータに基づいて各部を制御する。また、ＣＰＵ６０２は、ＯＳソフトウェアを起動すると、記憶部６０５から遠隔制御プログラムを読み出して起動する。
【００２５】
ＣＰＵ６０２が、遠隔制御プログラムを起動すると、制御装置３００を遠隔制御する機能が実現する。遠隔制御プログラムを起動したＣＰＵ６０２は、発信者番号通知サービスにより送信された携帯電話機１００の所有者に付与された電話番号を受信すると、この受信した電話番号を、電話番号テーブルＴＢ１の携帯電話番号フィールドに格納されている電話番号の中から検索する。ＣＰＵ６０２は、電話番号を見つけると、この電話番号に対応付けて制御装置番号フィールドに格納されている電話番号を読み出して発呼を行い、この電話番号で特定される制御装置３００と回線接続を試みる。ＣＰＵ６０２は、回線が接続されると、車両２００を動作させるための動作指示データを含む動作指示メッセージを、確立した回線を介して制御装置３００へ送信する。またＣＰＵ６０２は、携帯電話機１００が送信した開錠要求メッセージを受信すると、このメッセージに含まれているデータを用いて、車両２００の錠を開錠するか否か判断する。ＣＰＵ６０２は、開錠すると判断すると、錠の開錠を指示する旨の開錠指示メッセージを制御装置３００へ送信する。
【００２６】
［１−４．制御装置の構成］
図４は、制御装置３００のハードウェア構成を例示するブロック図である。図４に示したように、制御装置３００の各部は、バス３０１に接続されており、このバス３０１を介して各部間でデータの授受を行う。
【００２７】
通信部３０６は、通信インターフェースとしての機能を有しており、ＣＰＵ３０２の制御の下、図示を省略したアンテナを介して、移動体通信網４００の無線基地局との間で無線通信を行う。通信部３０６は、無線基地局から送信されるデータをＣＰＵ３０２へ供給する一方、ＣＰＵ３０２から出力されたデータを無線基地局へ送信する。
【００２８】
駆動部３０７は、車両２００が具備する可動部（例えば、ワイパーやドアミラー）、車両２００が具備するライト類（ヘッドライト、テールライト、Ｗｅ員カー等）を制御するものであり、ＣＰＵ３０２の制御の下、例えば、ワイパーを動かしたり、ヘッドライトを点滅させる。ドア制御部３０８は、車両２００のドアの錠の制御を行うものであり、ＣＰＵ３０２の制御の下、錠の開錠を行う。記憶部３０５は、データを永続的に記憶するためのメモリを有しており、駆動部３０７やドア制御部３０８を制御するための制御プログラムを記憶している。
【００２９】
ＲＯＭ３０３には、ＩＰＬおよび制御装置３００の各部を制御するＯＳソフトウェアが記憶されている。ＣＰＵ３０２は、図示を省略した電源から電力が供給されると、ＲＯＭ３０３からＩＰＬを読み出して実行する。ＣＰＵ３０２は、ＩＰＬを実行すると、ＲＯＭ３０３からＯＳソフトウェアを読み出して起動し、この後、記憶部６０５から制御プログラムを読み出して起動する。
【００３０】
ＣＰＵ３０２が制御プログラムを起動すると、遠隔制御装置６００からの指示に基づいて錠の開錠を行う機能が遠隔制御装置６００において実現する。制御プログラムを実行したＣＰＵ３０２は、遠隔制御装置６００が送信した動作指示メッセージを受信すると、このメッセージに含まれている動作指示データに基づいて、駆動部３０７を制御し、ワイパーやドアミラーを動作させたり、ヘッドライトを点滅させる。また、ＣＰＵ３０２は、開錠指示メッセージを受信すると、ドア制御部３０８を制御し、ドアの錠の制御を行う。
【００３１】
［２．動作］
次に本実施形態の動作について、図５〜図８を用いて説明する。なお、以下の説明においては、携帯電話機１００の所有者には電話番号「ＺＺ−ＺＺＺＺ−ＺＺＺＺ」、制御装置３００の所有者には電話番号「０＊０−ＡＡＡＡ−ＡＡＡＡ」、遠隔制御装置６００には電話番号「０＊０−ＤＤＤＤ−ＤＤＤＤ」が付与されている場合を想定して説明を行う。
【００３２】
携帯電話機１００の使用者（以下、使用者Ａと称する）が、携帯電話機１００が有するキーを用い、開錠プログラムの起動を指示する旨の操作を行うと、携帯電話機１００は、開錠プログラムを不揮発性メモリから読み出して起動する。携帯電話機１００が開錠プログラムを起動すると、図９に例示した画面が携帯電話機が具備する液晶ディスプレイに表示される。開錠プログラムを起動した携帯電話機１００は、開錠プログラムに予めデータとして含まれている遠隔制御装置６００の電話番号「ＺＺ−ＺＺＺＺ−ＺＺＺＺ」を含み、かつ、移動体通信網４００に対して回線接続を要求する呼設定メッセージを生成する。携帯電話機１００は、この生成した呼設定メッセージを移動体通信網４００へ送信する（図６：ステップＳＡ１、図５：ステップＳ１０１）。
【００３３】
この呼設定メッセージは、移動体通信網４００の無線基地局にて受信されると、移動体通信網４００と固定電話網５００とを介して遠隔制御装置６００へ送られる（ステップＳ１０２、ステップＳ１０３）。この呼設定メッセージが遠隔制御装置６００の通信部６０６にて受信されると、ＣＰＵ６０２は通信部６０６を制御し、呼設定メッセージへの応答として呼出メッセージを生成し、生成したメッセージを固定電話網５００へ送信する（図７：ステップＳＢ１、ステップＳ１０４）。呼出メッセージが固定電話網５００にて受信されると、移動体通信網４００および固定電話網５００の発信者番号通知サービスにより、発呼を行った携帯電話機１００の所有者に付与されている電話番号「０＊０−ＡＡＡＡ−ＡＡＡＡ」が遠隔制御装置６００へ送信される（ステップＳ１０５）。
【００３４】
遠隔制御装置６００のＣＰＵ６０２は、電話番号を受信すると（ステップＳＢ２：ＹＥＳ）、受信した電話番号を電話番号テーブルＴＢ１の携帯電話番号フィールドの中から検索する（ステップＳＢ３）。ＣＰＵ６０２は、検索の結果、受信した電話番号が電話番号テーブルＴＢ１に格納されていないと判断した場合には（ステップＳＢ４：ＮＯ）、回線接続を行うための応答メッセージを送信しない。
【００３５】
ＣＰＵ６０２は、受信した電話番号「０＊０−ＡＡＡＡ−ＡＡＡＡ」と同じ電話番号を電話番号テーブルＴＢ１に格納されている電話番号の中から見つけると（ステップＳＢ４：ＹＥＳ）、回線接続を行うための応答メッセージを生成し、通信部６０６を制御して応答メッセージを送信する（ステップＳＢ５、ステップＳ１０６）。固定電話網５００が、この応答メッセージを受信すると、携帯電話機１００と遠隔制御装置６００との間の回線が確立し、携帯電話機１００は移動体通信網４００と固定電話網５００とを介して遠隔制御装置６００と通信を行うことが可能となる。
【００３６】
ＣＰＵ６０２は、回線が確立すると、受信した電話番号「０＊０−ＡＡＡＡ−ＡＡＡＡ」に対応づけて制御装置番号フィールドに格納されている電話番号「０＊０−ＤＤＤＤ−ＤＤＤＤ」を読み出す（ステップＳＢ６）。次にＣＰＵ６０２は、この読み出した電話番号「０＊０−ＤＤＤＤ−ＤＤＤＤ」を含み、かつ、移動体通信網４００に対して回線接続を要求する呼設定メッセージを生成し、生成した呼設定メッセージを固定電話網５００へ送信する（ステップＳＢ７、ステップＳ１０７）。
【００３７】
この呼設定メッセージは、固定電話網５００にて受信されると、固定電話網５００と移動体通信網４００とを介して制御装置３００へ送られる（ステップＳ１０８、ステップＳ１０９）。この呼設定メッセージが制御装置３００の通信部３０６にて受信されると、ＣＰＵ３０２は通信部３０６を制御し、呼設定メッセージへの応答として呼出メッセージを生成し、生成したメッセージを送信する（図８：ステップＳＣ１、ステップＳ１１０）。呼出メッセージが移動体通信網４００にて受信されると、発信者番号通知サービスにより、発呼を行った遠隔制御装置６００に付与されている電話番号「ＺＺ−ＺＺＺＺ−ＺＺＺＺ」が制御装置３００へ送信される（ステップＳ１１１）。
【００３８】
制御装置３００のＣＰＵ３０２は、電話番号を受信すると（ステップＳＣ２；ＹＥＳ）、回線接続を行うための応答メッセージを生成し、通信部３０６を制御して応答メッセージを送信する（ステップＳＣ３、ステップＳ１１２）。この応答メッセージを移動体通信網４００が受信すると、制御装置３００と遠隔制御装置６００との間の回線が確立し、遠隔制御装置６００は移動体通信網４００と固定電話網５００とを介して制御装置３００と通信を行うことが可能となる。なお、本実施形態では、電話番号を受信すると応答メッセージを送信するようにしているが、電話番号を受信しなくとも、応答メッセージを送信し回線を確立するようにしてもよい。
【００３９】
ＣＰＵ６０２は音声通話回線が確立すると（ステップＳＢ８；ＹＥＳ）、例えば、１〜５までの範囲内で乱数を生成し、この乱数と、受信した携帯電話機１００の電話番号「０＊０−ＡＡＡＡ−ＡＡＡＡ」とを対応付けて記憶部６０５に記憶させる。次に、ＣＰＵ６０２は、この乱数を動作指示データとし、この動作指示データを含む動作指示メッセージを制御装置３００との間で確立した回線を介して送信する（ステップＳＢ９、ステップＳ１１３）。
【００４０】
この動作指示メッセージが制御装置３００の通信部３０６にて受信されると、ＣＰＵ３０２は、このメッセージに含まれている動作指示データを抽出する。次にＣＰＵ３０２は、この抽出した動作指示データに基づいて、駆動部３０７を制御する（ステップＳＣ５）。ＣＰＵ３０２は、例えば、動作指示データが示す数が「２」である場合（ステップＳＣ５；２）、駆動部３０７を制御して、車両２００のワイパーを駆動させる（ステップＳＣ６）。
【００４１】
車両２００の動作を見た使用者Ａは、携帯電話機１００を操作し、リストボックスをクリックする旨の操作を行うと、携帯電話機１００は、図１０に例示した画面を表示する。使用者Ａが、携帯電話機１００を操作し、画面に表示されたリストボックスの中から、車両２００が行った動作である「２：ワイパー駆動」を選択し、送信ボタンをクリックする旨の操作を行うと、携帯電話機１００は、リストボックスに動作に対応付けて表示された数字「２」を含む開錠要求メッセージを送信する（ステップＳ１１４）。
【００４２】
このメッセージが遠隔制御装置６００の通信部６０６にて受信されると、ＣＰＵ６０２は、ＲＡＭ６０４に格納した数字と、受信したメッセージに含まれている数字とを比較する（ステップＳＢ１１）。ＣＰＵ６０２は、この両方の数字が異なる場合には、携帯電話機１００との間で確立されている回線と、制御装置３００との間で確立されている回線とを切断する（ステップＳＢ１３；ＮＯ）。ＣＰＵ６０２は、この両方の数字が同じである場合には、錠の開錠を指示する旨の開錠指示メッセージを、制御装置３００との間で確立している回線を介して送信する（ステップＳＢ１３、ステップＳ１１５）。
【００４３】
このメッセージが制御装置３００の通信部３０６にて受信されると（ステップＳＣ１１；ＹＥＳ）、ＣＰＵ３０２は、ドア制御部３０８を制御してドアの錠を開錠する（ステップＳＣ１３）。
【００４４】
以上説明したように本実施形態によれば、錠の開錠を許可された者（携帯電話機１００の所有者）が、車両２００の動作を確認し、この動作を携帯電話機１００を利用して遠隔制御装置６００に通知しないと錠の開錠が行われない。錠を開錠しようとする者は、錠のある場所にいないと動作を確認できないので、錠の開錠をしようとする者が車両２００を視認できない場所では、錠の開錠を不可とすることができる。
【００４５】
また、本実施形態によれば、以下のような効果も得られる。携帯電話機の使用者にとって電話をかける度に電話番号を１桁づつ入力することは非常に煩雑であることから、頻繁にかける電話番号は予めメモリに記憶させておき、電話をかける際に簡単な操作でメモリから呼び出して発呼を行うことが行われている。これにより、携帯電話機の使用者は、簡単な操作で発呼を行うことが可能となる。しかしながら、このようにメモリから電話番号を呼び出して発呼を行う場合、簡単な操作で発呼が行える分、携帯電話機の使用者が、呼び出そうとした電話番号とは異なる他の電話番号を誤操作により呼び出して発呼を行ってしまう場合が生じ得る。特許文献１に記載されているセキュリティシステムにおいては、この誤操作による着信先がセンター装置である場合、着信が誤操作によるものか否かをセンター装置側で判定することは不可能であるため、センター装置は、誤操作により発呼が行れた場合でも錠を開錠してしまう。しかしながら、本実施形態によれば、遠隔制御装置６００は携帯電話機１００の電話番号を受信しただでけは、錠の開錠を行わないため、携帯電話の誤操作による発呼での開錠を防止することができる。
【００４６】
また本実施形態によれば、ユーザＩＤやパスワードなどのデジタル的な手段だけで錠の開錠制御を行うのではなく、ワイパーを駆動させたり、ヘッドライトを点滅させる等のアナログ的な手段を用いて錠の開錠制御を行うようにしたので、デジタルデータのみを使用する場合と比較して、なりすましを防止し、セキュリティを向上させることが可能となる。
【００４７】
［３．変形例］
本発明は、係る実施形態に限定されるものではない。以下、上述した実施形態の変形例について述べる。
【００４８】
制御装置３００により制御されるのは、車両２００に限定されるものではない。錠を具備しているものであれば、他の対象装置であってもよい。例えば、家屋を制御対象となる対象装置としてもよい。制御装置３００に家屋の照明の点滅を行わせ、携帯電話機の使用者に、この動作を選択させ、遠隔制御装置６００が錠の開錠の判断を行うようにしてもよい。
【００４９】
遠隔制御装置６００は、動作と共に動作回数を指示するようにしてもよい。例えば、遠隔制御装置６００は、ヘッドライトの点滅と点滅回数を制御装置３００へ通知する。使用者Ａが、携帯電話機１００を操作して、動作（ヘッドライトの点滅）と動作回数（ヘッドライトの点滅回数）とを選択すると、携帯電話機１００は、この動作と動作回数を示すデータとを遠隔制御装置６００へ送信する。遠隔制御装置６００は、制御装置３００へ通知した内容と、携帯電話機１００から送信されたデータとに基づいて、開錠指示メッセージを送信する。このような態様によれば、動作内容のみで開錠の判断を行う場合と比較して、より確実に錠の開錠の制御を行うことが可能となる。
【００５０】
制御装置３００は、発信者番号を受信した際、遠隔制御装置６００に付与された電話番号を受信した時にのみ回線接続を行うための動作をするようにしてもよい。このような態様によれば、携帯電話機１００が制御装置３００へ発呼しても回線接続が行われず、遠隔制御装置６００からの指示のみで開錠が行われる。
【００５１】
遠隔制御装置６００にて実現する機能を制御装置３００が合わせもつようにしてもよい。この構成の場合の、具体的な動作例を以下に示す。
制御装置３００の記憶部３０５は、携帯電話機１００の所有者に付与された電話番号を予め記憶しておく。携帯電話機１００が制御装置３００を着信先として発呼を行うと、携帯電話機１００の電話番号が、発信者番号通知サービスにより制御装置３００に通知される。制御装置３００のＣＰＵ３０２は、受信した電話番号と同じ電話番号が記憶部３０５に記憶されている場合にのみ、回線接続を行う。ＣＰＵ３０２は回線接続を行うと、駆動部３０７に行わせる動作をランダムに選択し、駆動部３０７を制御して選択した動作を行う。携帯電話機１００の使用者が、携帯電話機１００を操作し、図９に例示した画面のリストボックスをクリックする旨の操作を行うと、携帯電話機１００は、図１０に例示した画面を表示する。使用者Ａが、携帯電話機１００を操作し、画面に表示されたリストボックスの中から、車両２００が行った動作を選択し、送信ボタンをクリックする旨の操作を行うと、携帯電話機１００は、リストボックスに動作に対応付けて表示された数字を含む開錠要求メッセージを送信する。制御装置３００のＣＰＵ３０２は、このメッセージを受信すると、このメッセージに含まれている数字が示す動作と、自身が選択した動作とを比較し、両者が一致する場合には、ドア制御部３０８を制御して、錠の開錠を行う。
このような態様によれば、遠隔制御装置６００を必要としないため、より低コストで遠隔制御システムを実現することが可能となる。
【００５２】
携帯電話機１００、制御装置３００、遠隔制御装置６００は、音声通話回線を介して通信するのではなく、移動パケット通信網及びインターネットを利用し、データ通信により通信を行うようにしてもよい。この場合、遠隔制御装置６００は発信者番号により携帯電話機１００との間で通信を行うか否か判断するのではなく、ユーザまたは携帯電話機１００を一意に識別する識別子やパスワードを用いて、携帯電話機１００と通信を行うか否か判断するようにしてもよい。このような態様によれば、錠の開錠を要求する者は、特定の携帯電話機を用いなくとも遠隔制御装置６００へ開錠を要求することが可能となる。
【００５３】
この遠隔制御システムにおいて用いられる通信方式はＰＤＣに限定されるものではなく、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）やＰＨＳ（Ｐｅｒｓｏｎａｌ  Ｈａｎｄｙｐｈｏｎｅ  Ｓｙｓｔｅｍ：登録商標）などの他の通信方式であってもよい。
【００５４】
携帯電話機１００が遠隔制御装置６００へ送信する開錠要求メッセージに含まれる数字や、遠隔制御装置６００が制御装置３００へ送信する動作指示データ（数）は、ＰＢ（Ｐｕｓｈ  Ｂｕｔｔｏｎ）信号で通知するようにしてもよい。
【００５５】
【発明の効果】
以上説明したように本発明によれば、錠の開錠を指示した者が錠の傍らにいる場合にのみ錠の開錠を行うことが可能となる。
【図面の簡単な説明】
【図１】本発明の実施形態に係わる遠隔操作システムの全体構成を例示する図である。
【図２】同実施形態に係わる遠隔制御装置６００のハードウェア構成を例示する図である。
【図３】電話番号テーブルＴＢ１のフォーマットを例示する図である。
【図４】同実施形態に係わる制御装置３００のハードウェア構成を例示するブロック図である。
【図５】同実施形態の動作を説明するための図である。
【図６】同実施形態に係わる携帯電話機１００が行う処理の流れを例示するフローチャートである。
【図７】同実施形態に係わる遠隔制御装置６００のＣＰＵが行う処理の流れを例示するフローチャートである。
【図８】同実施形態に係わる制御装置３００のＣＰＵが行う処理の流れを例示するフローチャートである。
【図９】携帯電話機１００が表示する画面を例示する図である。
【図１０】携帯電話機１００が表示する画面を例示する図である。
【符号の説明】
１００・・・携帯電話機、２００・・・車両、３００・・・制御装置、３０１・・・バス、３０２・・・ＣＰＵ、３０３・・・ＲＯＭ、３０４・・・ＲＡＭ、３０５・・・記憶部、３０６・・・通信部、３０７・・・駆動部、３０８・・・錠制御部、４００・・・移動体通信網、５００・・・固定電話網、６００・・・遠隔制御装置、６０１・・・バス、６０２・・・ＣＰＵ、６０３・・・ＲＯＭ、６０４・・・ＲＡＭ、６０５・・・記憶部、６０６・・・通信部、６０７・・・操作部、６０８・・・表示部。
【図１】
2005054373.tif 000003
【図２】
2005054373.tif 000004
【図３】
2005054373.tif 000005
【図４】
2005054373.tif 000006
【図５】
2005054373.tif 000007
【図６】
2005054373.tif 000008
【図７】
2005054373.tif 000009
【図８】
2005054373.tif 000010
【図９】
2005054373.tif 000011
【図１０】
2005054373.tif 000012